(57)【要約】【課題】本発明は、引戸本体の回動軸心となる軸を弾接状態で軸支して、引戸本体のスライド走行中に軸受と軸との衝突音をなくし、該引戸本体を静かに開閉できるようにし、引戸本体をスイングさせるときにおいても、該軸受と軸との間のきしみ音を少なくしたスイング式引戸を提供する。【解決手段】引戸本体１の一方の側縁部の木口に木口キャップ７を装着し、該木口キャップ７の内側に形成した一方の軸受け部８１と引戸本体１内に装着した他方の軸受け部８２とからなる軸受８で該軸２を軸支するとともに、該一方の軸受け部８１に装着した弾圧体９で該軸２を他方の軸受け部８２に回動自在に弾圧したことを特徴とする。【選択図】　図１
2004052388.tif 000002
【特許請求の範囲】
【請求項１】
引戸本体の一方の側縁部に軸を該軸の上下端部が上下に突出するよう貫通させて設け、該軸の上下端部に基部上下ランナ−を装着し、該基部上下ランナ−を上下のレール内に走行自在にガイドし、該引戸本体を該上下レ−ルに沿ってスライド自在に開閉するとともに、該軸を回動軸心として該引戸本体をスイングするようにしたスイング式引戸において、該引戸本体の一方の側縁部の木口に木口キャップを装着し、該木口キャップの内側に形成した一方の軸受け部と引戸本体内に装着した他方の軸受け部とからなる軸受で該軸を軸支するとともに、該一方の軸受け部に装着した弾圧体で該軸を他方の軸受け部に回動自在に弾圧したことを特徴とするスイング式引戸。
【請求項２】
上記弾圧体をモヘアで構成した請求項１記載のスイング式引戸。
【請求項３】
上記木口キャップの内側に形成した一方の軸受け部が木口キャップと一体形成されるとともに、該一方の軸受け部が弾圧体を介して軸を弾圧するよう該一方の軸受け部に弾性脚を形成した請求項１記載のスイング式引戸。
【請求項４】
上記引戸本体の内部において、該軸受で該軸をその長手方向の複数箇所で軸支している請求項１記載のスイング式引戸。
【請求項５】
上記引戸本体の他方の側縁部の下端部に下レ−ル上を走行する先端下ランナ−を装着するとともに、該引戸本体のスイング操作に伴って該先端下ランナ−を該下レ−ルから着脱自在に離脱させた請求項１記載のスイング式引戸。
【発明の詳細な説明】
【０００１】
【発明の属する技術分野】
本発明は、上下レ−ルに沿って走行する引戸本体を、該引戸本体の一方の側縁部に設けた軸を回動軸心としてスイング自在としたスイング式引戸に関するものである。
【０００２】
【従来の技術】
従来、引戸本体の一方の側縁部に軸を貫通させて設け、該軸の上下端部に設けた基部上下ランナ−を上下のレール内に走行自在にガイドし、該引戸本体を該上下レ−ルに沿ってスライド自在に開閉するとともに、該軸を回動軸心として該引戸本体を該レ−ルに対してスイングするようにしたスイング式引戸は公知であった（実開昭６２−２２２７４号公報）。
【０００３】
【発明が解決しようとする課題】
しかし、上記従来のスイング式引戸は、引戸本体を貫通して設けられた軸を回動軸心として、スイングするものであるから、該軸の曲げ強度が十分でなく尚且つ軸が撓んでおり真っ直ぐな軸でないとき、引戸本体の走行中や引戸本体をスイングするとき、該軸の回動軸心が振れ動きやすいので、該引戸本体の走行操作やスイング操作を行いにくく、又、該軸と引戸本体とが軸受部で衝突したりきしんだりして不快な音を出すという問題があった。そのため、スイング式引戸の寿命も短かった。
【０００４】
本発明は、引戸本体の回動軸心となる軸を弾接状態で軸支して、引戸本体のスライド走行中に軸受と軸との間の衝突音をなくし、該引戸本体を静かに開閉できるようにし、引戸本体をスイングさせるときにおいても、該軸受と軸との間のきしみ音を少なくしたスイング式引戸を提供することを課題とする。
【０００５】
【課題を解決するための手段】
本発明は、上記課題を解決するために、次のような技術的手段を講じている。すなわち、本発明によれば、引戸本体の一方の側縁部に軸を該軸の上下端部が上下に突出するよう貫通させて設け、該軸の上下端部に基部上下ランナ−を装着し、該基部上下ランナ−を上下のレール内に走行自在にガイドし、該引戸本体を該上下レ−ルに沿ってスライド自在に開閉するとともに、該軸を回動軸心として該引戸本体をスイングするようにしたスイング式引戸において、該引戸本体の一方の側縁部の木口に木口キャップを装着し、該木口キャップの内側に形成した一方の軸受け部と引戸本体内に装着した他方の軸受け部とからなる軸受で該軸を軸支するとともに、該一方の軸受け部に装着した弾圧体で該軸を他方の軸受け部に回動自在に弾圧したことを特徴とするスイング式引戸が提供される。このように構成にすることによって、引戸本体のスライド走行中に該軸受と軸との衝突音がなくなり、該軸を回動軸心として該軸と引戸本体とを相対的回動させて、該引戸本体をスイングさせるとき、該軸受と軸との間のきしみ音が少なくなる。又、軸受構造も簡単で組み立て容易となる。
【０００６】
上記弾圧体をモヘアで構成することが好ましいし。このような構成にすることによって、軸に対する引戸本体の回動抵抗を小さくできる。
【０００７】
又、上記木口キャップの内側に形成した一方の軸受け部が木口キャップと一体形成されるとともに、該一方の軸受け部が弾圧体を介して軸を弾圧するよう該一方の軸受け部に弾性脚を形成することが好ましい。このような構成にすることによって、弾圧機能が長寿命となる。更に、該一方の軸受け部を独立した別部品として製作する場合に比較して、該弾性脚を有する一方の軸受け部の形成装着が容易となる。
【０００８】
更に、上記引戸本体の内部において、該軸受で該軸をその長手方向の複数箇所で軸支することが好ましい。このような構成にすることによって、軸をその全長に亘って軸支する場合に比較して、全体の組み立てが容易となる。
【０００９】
また、上記引戸本体の他方の側縁部の下端部に下レ−ル上を走行する先端下ランナ−を装着するとともに、該引戸本体のスイング操作に伴って該先端下ランナ−を該下レ−ルから着脱自在に離脱させることが好ましい。このような構成にすることによって、引戸本体のスイング操作時には先端下ランナ−が下レ−ルから容易に離脱でき該スイング操作を容易にできる。
【００１０】
【発明の実施の形態】
以下、本発明の好ましい実施の形態について、図面を参照してより詳細に説明する。先ず本発明にかかるスイング式引戸の基本的動作状態について図１乃至図３を参照して説明する。図１はスイング式引戸の一実施例を示す一部切欠部分斜視図、図２は引戸本体１を３枚用いて出入り口等の開口部を閉じたときの状態を平面図で模型的に表した説明図、図３は引戸本体１を９０度スイングしたときの状態を部分的平面図で模型的に示した説明図である。引戸本体１は上下レ−ル５、５にガイドされて同図の矢印Ｘ方向に往復スライドされるとともに、同図の矢印Ｙ方向にスイングできる。２は引戸本体１の一方の側縁部に貫通して設けた軸、２３は該軸２の上下端部２１、２２に装着したピニオン、６は上下レ−ル５、５の一側面に装着したラックであり、該ラック６にピニオン２３が歯合している。１１は開口部の壁面である。
【００１１】
図４は引戸本体１を上下レ−ル５、５に装着したときの一部切欠縦断面図、図５は引戸本体１の軸２側の上端部分を示す部分拡大斜視図である。同図に示すように、引戸本体１の一方の側縁部に軸２を該軸の上下端部２１、２２が上下に突出するよう貫通させて設け、該上下端部２１、２２のそれぞれにピニオン２３を装着しそれぞれのピニオン２３、２３は上下レ−ル５、５内のラック６、６に歯合している。軸２の上端部２１の先端部には基部上ランナ−３がランナ−用軸受３１を介して装着されており、該基部上ランナ−３は上レ−ル５の中間棚５１に走行自在に載置されている。軸２の下端部２２に装着したピニオン２３の更に下部には基部下ランナ−４が軸２に回動自在に装着されている。該基部下ランナ−４は下レ−ル５の下側空間５２に介在しており、引戸本体１の走行中に該引戸本体１の下部が走行方向と直交方向に揺れたとき該基部下ランナ−４が回動しながら該下側空間５２の内壁面に接触し該揺れを阻止するのである。７は引戸本体１の一方の側縁部の木口に冠着した木口キャップである。
【００１２】
図６は引戸本体１の先端下端部における部分拡大斜視図であり、引戸本体１の先端下端部は下レ−ル５に弾接載置された先端下ランナ−１０が設けられている。先端下ランナ−１０はアーム１０１に回動自在に軸支されており、ばね１０２で下レ−ル５に押圧された状態で走行する。
【００１３】
図７は図４におけるＡ−Ａ線上の部分断面図、図８は図７の内部状態を示す部分分解斜視図である。同図に示すように引戸本体１の一方の側縁部にその上下端部２１、２２が上下に突出するよう貫通させて設けられた軸２は、軸受８で軸支されている。該軸受８は、引戸本体１の一方の側縁部の木口に装着された木口キャップ７の内側に形成した一方の軸受け部８１と、引戸本体１内に装着した他方の軸受け部８２とからなり、該他方の軸受け部８２の曲率半径は軸２の曲率半径よりも少し大きくしている。軸受８で該軸２を軸支するとともに、該一方の軸受け部８１に装着した弾圧体９で該軸２を他方の軸受け部８２に回動自在に弾圧している。弾圧体９は耐磨耗性の優れたゴム等の弾性体等からなり、木口キャップ７側の一方の軸受け部８１にその長手方向に沿って装着されている。従って、該弾圧体９が軸２をその長手方向に沿って弾圧している。従って、軸２は該軸受８に対してガタツクことなく軸支される。該弾圧体９は図９に示す如くブラシ状としたモヘアで構成してもよい。軸２が引戸本体１に対して相対的回動をするとき、該軸２が長いのでその半径方向にブレル場合がある。このブレを強制的に押さえると該軸２が回動しにくくなるのでこのブレを効率よく弾性的に吸収するために、木口キャップ７の内側に形成した一方の軸受け部８１に弾性脚８１１を形成している。軸受８で軸２を軸支するとき、引戸本体１内の軸２の全長を軸支してもよく又軸２の適宜箇所を軸支してもよい。
【００１４】
次に、引戸本体１の動作状態について説明する。便宜上図３を初期状態として説明すると、同図において一番右端の引戸本体１を軸２を回動軸心として矢印Ｙ方向で反時計回り方向に回動する。このとき、上側のピニオン２３と上側のラック６は歯合したままの状態に維持され該両者間の相対移動は行われない。勿論、引戸本体１を回動するとき該上側のラック６に歯合したピニオン２３が該上側のラック６上を走行してもよい。図６に示すように、該引戸本体１の先端下端部に設けた先端下ランナ−１０が、ばね１０２に抗して下レ−ル５に乗り上がった状態まで引戸本体１をスイングすると、該引戸本体１は上下レ−ル５、５に走行自在に装着される。次に該引戸本体１を図２においてＸ方向の右側にスライドさせていく。このとき、図４に示す如く、基部上ランナ−３が上レ−ル５の中間棚５１に載置された状態で走行し、同時に上側のピニオン２３が上レ−ル５内の一側面に装着したラック６と歯合した状態で軸２とともに回動する。同様に、下側のピニオン２３は下レ−ル５内の一側面に装着したラック６と歯合した状態で軸２とともに回動する。しかし、基部下ランナ−４は下レ−ル５の下側空間５２に介在した状態に維持され、前述のごとく、引戸本体１の走行中に該引戸本体１の下部が走行方向と直交方向に揺れたとき該基部下ランナ−４が回動しながら該下側空間５２の内壁面に接触し該揺れを阻止するのである。次に、同様のやり方で、図３において、真ん中に位置している引戸本体１及び一番左側に位置している引戸本体１を順次スイングしスライドして図２のように該引戸本体１で出入り口等の開口部を閉めるのである。該開口部を開けるときは上記の操作手順を逆に行えば、図３に示す状態となるのである。
【００１５】
【発明の効果】
以上のべたように、請求項１に記載のスイング式引戸は、該引戸本体１の一方の側縁部の木口に木口キャップ７を装着し、該木口キャップ７の内側に形成した一方の軸受け部８１と引戸本体１内に装着した他方の軸受け部８２とからなる軸受８で該軸２を軸支するとともに、該一方の軸受け部８１に装着した弾圧体９で該軸２を他方の軸受け部８２に回動自在に弾圧したから、軸受構造も簡単で組み立て容易となり、又、引戸本体１のスライド走行中に該軸受８と軸２との衝突音がなくなり該引戸本体１を静かに開閉できるとともに、該軸２を回動軸心として該軸２と引戸本体１とを相対的回動をさせて、該引戸本体１をスイングさせるときにおいても、該軸受８と軸２との間のきしみ音が少なくなる。特に、該軸２がその長手方向に多少撓んでいる場合においても軸２は弾圧体９によって他方の軸受け部８２に弾圧されているので、該軸受８と軸２との間のきしみ音や衝突音を極力小さくでき、スイング式引戸の寿命も長くなるのである。
【００１６】
請求項２に記載のスイング式引戸は、弾圧体９をモヘアで構成したから、軸２に対する引戸本体１の回動抵抗が小さくなるという効果がある。
【００１７】
請求項３に記載のスイング式引戸は、木口キャップ７の内側に形成した一方の軸受け部８１が木口キャップ７と一体形成されるとともに、該一方の軸受け部８１が弾圧体９を介して軸２を弾圧するよう該一方の軸受け部８１に弾性脚８１１を形成したから、弾圧機能が長寿命となる。また、木口キャップ７と一方の軸受け部８１とを一体形成するものであるから、該一方の軸受け部を独立した別部品として製作する場合に比較して、該弾性脚８１１を有する一方の軸受け部８１の形成装着が容易となる。
【００１８】
請求項４に記載のスイング式引戸は、引戸本体１の内部において、軸受８で軸２をその長手方向の複数箇所で軸支したから、軸２がその軸方向に多少撓んでいても引戸本体１をガタツキなく支承でき、軸２をその全長に亘って軸支する場合に比較して、全体の組み立てが容易となる。
【００１９】
請求項５に記載のスイング式引戸は、引戸本体１の他方の下端部に下レ−ル５上を走行する先端下ランナ−１０を装着するとともに、該引戸本体１のスイング操作に伴って該先端下ランナ−１０を該下レ−ル５から着脱自在に離脱させたから、引戸本体１のスライド操作時は基部上下ランナ−３、４及び先端下ランナ−１０が引戸本体１のスライド走行を円滑に支承し、引戸本体１のスイング操作時には先端下ランナ−１０が下レ−ル５から容易に離脱でき該スイング操作を容易にできる。
【図面の簡単な説明】
【図１】本発明にかかるスイング式引戸の一実施例を示す一部切欠部分斜視図。
【図２】本発明にかかるスイング式引戸を３枚用いて開口部を閉じたときの状態を平面図で模型的に表した説明図。
【図３】上記説明図におけるスイング式引戸を９０度スイングしたときの状態を部分的平面図で模型的に示した説明図。
【図４】上記実施例におけるスイング式引戸を上下のレ−ルに装着したときの一部切欠縦断面図。
【図５】上記実施例におけるスイング式引戸の回動軸心部の上端部分を示す部分拡大斜視図。
【図６】上記実施例におけるスイング式引戸の先端下端部における部分拡大斜視図。
【図７】図４におけるＡ−Ａ線上の部分断面図。
【図８】図７の内部状態を示す部分分解斜視図。
【図９】本発明にかかるスイング式引戸に使用する弾圧体の他の実施例を示す横断面図。
【符号の説明】
１　　　　引戸本体
２　　　　軸
２１　　　軸の上端部
２２　　　軸の下端部
２３　　　ピニオン
３　　　　基部上ランナ−
３１　　　ランナ−用軸受
４　　　　基部下ランナ−
５　　　　上下レール
５１　　　上レ−ルの中間棚
５２　　　下レ−ルの下側空間
６　　　　上下レ−ル内の一側面に装着したラック
７　　　　木口キャップ
８　　　　軸受
８１　　　軸受を構成する一方の軸受け部
８２　　　軸受を構成する他方の軸受け部
８１１　　弾性脚
９　　　　弾圧体
１０　　　先端下ランナ−
１０１　　アーム
１０２　　ばね
１１　　　壁面
【図１】
2004052388.tif 000003
【図２】
2004052388.tif 000004
【図３】
2004052388.tif 000005
【図４】
2004052388.tif 000006
【図５】
2004052388.tif 000007
【図６】
2004052388.tif 000008
【図７】
2004052388.tif 000009
【図８】
2004052388.tif 000010
【図９】
2004052388.tif 000011